【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  原稿束から１ページ毎に原稿を搬送させる原稿搬送手段と、前記原稿の画像データを読み取る画像読取手段と、読み取られた前記画像データを記憶する画像データ記憶手段と、読み取られた前記原稿のページ数を計数して記憶する原稿ページ数記憶手段と、インデックス原稿のページ番号を記憶するインデックス原稿ページ番号記憶手段と、インデックス用紙及び普通紙を収納する給紙カセットと、それぞれの用紙を給排紙搬送する給排紙手段と、前記それぞれの用紙に画像を形成する制御を行う制御手段と、を備えた画像形成装置において、
インデックス原稿と本文原稿とが混在した原稿束を読み取る混在モードと、前記混在モードが選択された場合に、インデックス原稿と本文原稿とが混在した第１の原稿束における最上部に重ねられた原稿をインデックス原稿とし最上部以外の原稿を本文原稿として前記第１の原稿束を読み取る第１の読取モードを有し、
前記制御手段は、前記第１の読取モードを実行する時には、前記原稿ページ数記憶手段に前記第１の原稿束から搬送された前記原稿のページ数を記憶させると共に、前記インデックス原稿ページ番号記憶手段に前記第１の原稿束から最初に搬送された前記原稿のページ数を記憶させるようにし、画像形成時には、前記原稿ページ数記憶手段に記憶された前記ページ数と前記インデックス原稿ページ番号記憶手段に記憶された前記ページ数とが一致した場合は、前記インデックス用紙に画像を形成し、一致しない場合は、前記普通紙に画像を形成するように制御することを特徴とする画像形成装置。
【請求項２】  前記混在モードが選択された場合に、全ての原稿が本文原稿からなる第２の原稿束として原稿を読み取る第２の読取モードを有し、
前記制御手段は、初回の原稿束の読み取りは、前記第２の原稿束として前記第２の読取モードにて原稿を読み取り、原稿のページ数を前記原稿ページ数記憶手段に記憶し、次回以降の原稿束の読み取りは、前記第１の原稿束として前記第１の読取モードにて原稿を読み取り、前記原稿ページ記憶手段とインデックス原稿ページ番号記憶手段に前記原稿のページ数を記憶させることを特徴とする請求項１に記載の画像形成装置。
【請求項３】  前記制御手段は、前記第１の原稿束の原稿枚数が前記原稿搬送手段に載置可能な規定枚数を超過するときは、前記第１の原稿束の原稿が規定枚数以内になるように前記第１の原稿束を複数に分割して形成された分割原稿束を前記原稿搬送手段により搬送し、初回の前記分割原稿束については、前記第１の読取モードにて原稿を読み取ると共に、前記原稿ページ記憶手段とインデックス原稿ページ番号記憶手段に原稿ページ数を記憶させ、次回以降の分割原稿束については、前記第２の読取モードにて原稿を読み取ると共に、前記原稿ページ記憶手段に原稿ページ数を記憶させるようにしたことを特徴とする請求項１又は請求項２に記載の画像形成装置。
【請求項４】  前記第２の原稿束の原稿枚数が前記原稿搬送手段に載置可能な規定枚数を超過するときは、前記第２の原稿束の原稿が規定枚数以内になるように、前記第２の原稿束からインデックス原稿を取り除いた原稿束を複数に分割して形成された分割原稿束を前記原稿搬送手段により搬送し、前記制御手段は、前記第２の読取モードにて原稿を読み取る制御を繰り返して、複数に分割された分割原稿束の全てを読み取らせるようにしたことを特徴とする請求項１乃至請求項３の何れか１項に記載の画像形成装置。
【請求項５】  前記制御手段は、前記画像読取手段により前記原稿束の前記インデックス原稿を読み取らせる場合は、前記インデックス原稿の片面の画像データのみを読み取るように制御することを特徴とする請求項１乃至請求項４の何れか１項に記載の画像形成装置。
【請求項６】  読み取った原稿の画像を確認のためにコピーする確認コピーモードを備え、前記制御手段は、全ての前記原稿束を読み取った後に、自動的に、確認コピーモードを実行するようにしたことを特徴とする請求項１乃至請求項５の何れか１項に記載の画像形成装置。
【手続補正２】
【補正対象書類名】明細書
【補正対象項目名】００１０
【補正方法】変更
【補正の内容】
【００１０】
（１）  原稿束から１ページ毎に原稿を搬送させる原稿搬送手段と、前記原稿の画像データを読み取る画像読取手段と、読み取られた前記画像データを記憶する画像データ記憶手段と、読み取られた前記原稿のページ数を計数して記憶する原稿ページ数記憶手段と、インデックス原稿のページ番号を記憶するインデックス原稿ページ番号記憶手段と、インデックス用紙及び普通紙を収納する給紙カセットと、それぞれの用紙を給排紙搬送する給排紙手段と、前記それぞれの用紙に画像を形成する制御を行う制御手段と、を備えた画像形成装置において、
インデックス原稿と本文原稿とが混在した原稿束を読み取る混在モードと、前記混在モードが選択された場合に、インデックス原稿と本文原稿とが混在した第１の原稿束における最上部に重ねられた原稿をインデックス原稿とし最上部以外の原稿を本文原稿として前記第１の原稿束を読み取る第１の読取モードを有し、
前記制御手段は、前記第１の読取モードを実行する時には、前記原稿ページ数記憶手段に前記第１の原稿束から搬送された前記原稿のページ数を記憶させると共に、前記インデックス原稿ページ番号記憶手段に前記第１の原稿束から最初に搬送された前記原稿のページ数を記憶させるようにし、画像形成時には、前記原稿ページ数記憶手段に記憶された前記ページ数と前記インデックス原稿ページ番号記憶手段に記憶された前記ページ数とが一致した場合は、前記インデックス用紙に画像を形成し、一致しない場合は、前記普通紙に画像を形成するように制御することを特徴とする画像形成装置。
【手続補正３】
【補正対象書類名】明細書
【補正対象項目名】００１１
【補正方法】変更
【補正の内容】
【００１１】
（２）  前記混在モードが選択された場合に、全ての原稿が本文原稿からなる第２の原稿束として原稿を読み取る第２の読取モードを有し、
前記制御手段は、初回の原稿束の読み取りは、前記第２の原稿束として前記第２の読取モードにて原稿を読み取り、原稿のページ数を前記原稿ページ数記憶手段に記憶し、次回以降の原稿束の読み取りは、前記第１の原稿束として前記第１の読取モードにて原稿を読み取り、前記原稿ページ記憶手段とインデックス原稿ページ番号記憶手段に前記原稿のページ数を記憶させることを特徴とする前記（１）に記載の画像形成装置。
【手続補正４】
【補正対象書類名】明細書
【補正対象項目名】００１２
【補正方法】変更
【補正の内容】
【００１２】
（３）  前記制御手段は、前記第１の原稿束の原稿枚数が前記原稿搬送手段に載置可能な規定枚数を超過するときは、前記第１の原稿束の原稿が規定枚数以内になるように前記第１の原稿束を複数に分割して形成された分割原稿束を前記原稿搬送手段により搬送し、初回の前記分割原稿束については、前記第１の読取モードにて原稿を読み取ると共に、前記原稿ページ記憶手段とインデックス原稿ページ番号記憶手段に原稿ページ数を記憶させ、次回以降の分割原稿束については、前記第２の読取モードにて原稿を読み取ると共に、前記原稿ページ記憶手段に原稿ページ数を記憶させるようにしたことを特徴とする前記（１）又は（２）に記載の画像形成装置。
【手続補正５】
【補正対象書類名】明細書
【補正対象項目名】００１３
【補正方法】変更
【補正の内容】
【００１３】
（４）  前記第２の原稿束の原稿枚数が前記原稿搬送手段に載置可能な規定枚数を超過するときは、前記第２の原稿束の原稿が規定枚数以内になるように、前記第２の原稿束からインデックス原稿を取り除いた原稿束を複数に分割して形成された分割原稿束を前記原稿搬送手段により搬送し、前記制御手段は、前記第２の読取モードにて原稿を読み取る制御を繰り返して、複数に分割された分割原稿束の全てを読み取らせるようにしたことを特徴とする前記（１）乃至（３）の何れか１項に記載の画像形成装置。
【手続補正６】
【補正対象書類名】明細書
【補正対象項目名】００１４
【補正方法】変更
【補正の内容】
【００１４】
（５）  前記制御手段は、前記画像読取手段により前記原稿束の前記インデックス原稿を読み取らせる場合は、前記インデックス原稿の片面の画像データのみを読み取るように制御することを特徴とする前記（１）乃至（４）の何れか１項に記載の画像形成装置。
【手続補正７】
【補正対象書類名】明細書
【補正対象項目名】００１５
【補正方法】変更
【補正の内容】
【００１５】
（６）  読み取った原稿の画像を確認のためにコピーする確認コピーモードを備え、前記制御手段は、全ての前記原稿束を読み取った後に、自動的に、確認コピーモードを実行するようにしたことを特徴とする前記（１）乃至（５）の何れか１項に記載の画像形成装置。
【手続補正８】
【補正対象書類名】明細書
【補正対象項目名】００２０
【補正方法】変更
【補正の内容】
【００２０】
２０は画像形成装置全体を示し、画像形成装置２０の筐体１の右側面部には、比較的少量の紙やＯＨＰシート等の通常の出力媒体である普通紙Ｐを供給するための手差し皿２が設けられている。
【手続補正９】
【補正対象書類名】明細書
【補正対象項目名】００２１
【補正方法】変更
【補正の内容】
【００２１】
また、左側面部には、画像が形成され排出された通常の普通紙Ｐ、又は、後述するインデックス原稿に基づく画像を形成するためのインデックス用の出力媒体であるインデックス用紙ＩＰ等を積載するための排紙皿３が設けられている。
【手続補正１０】
【補正対象書類名】明細書
【補正対象項目名】００５５
【補正方法】変更
【補正の内容】
【００５５】
しかしながら、場合によっては、インデックス原稿の両面に画像情報が存在するものもあるので、このような場合に対応できるように、インデックス原稿の読取に際して、コントロールパネルＣＰのキーボードＫＢを操作して片面モードや両面モードを選択できるようにしても良い。
【手続補正１１】
【補正対象書類名】明細書
【補正対象項目名】０１０７
【補正方法】変更
【補正の内容】
【０１０７】
原稿束の構成の例として、２つの方式が考えられる。
一つは、図３（ａ）に示すように、本文原稿の最上部にインデックス原稿が重ねられた原稿束であり、もう一つは、図３（ｂ）に示すように、本文原稿の最下部にインデックス原稿が重ねられた原稿束である。
【手続補正１２】
【補正対象書類名】明細書
【補正対象項目名】０１０８
【補正方法】変更
【補正の内容】
【０１０８】
図３（ａ）の場合の原稿束について説明する。
Ｉ１〜Ｉ５はインデックス原稿を示し、Ｇ１〜Ｇ５は本文原稿を示す。そして、ＷＰ１〜ＷＰ５は原稿束を示している。
【手続補正１３】
【補正対象書類名】明細書
【補正対象項目名】０１１３
【補正方法】変更
【補正の内容】
【０１１３】
図３（ｂ）の場合の原稿束について説明する。
Ｉ２１〜Ｉ２５はインデックス原稿を示し、Ｇ２１〜Ｇ２６は本文原稿を示す。そして、ＷＰ２１〜ＷＰ２５は原稿束を示している。
【手続補正１４】
【補正対象書類名】明細書
【補正対象項目名】０１１５
【補正方法】変更
【補正の内容】
【０１１５】
なお、図３（ａ）の場合と同じ理由で、原稿束ＷＰ２１の本文原稿は、Ｇ２１ＡとＧ２１Ｂに分割する必要があったものとする。もちろん、規定枚数を超過しない場合は分割する必要はない。
【手続補正１５】
【補正対象書類名】明細書
【補正対象項目名】０１１７
【補正方法】変更
【補正の内容】
【０１１７】
次に、原稿束の読み取り作動について説明する。
図３（ａ）の場合
まず、ＡＤＦ３０の原稿載置台３２に原稿束ＷＰ１を載置し、画像形成装置２０のコントロールパネルＣＰに設けられた読取釦ＳＫを押して、インデックス原稿と本文原稿が混在した原稿束の原稿の画像情報を、画像読取手段１３の読取装置ＥＳにより読み取らせ、デジタル変換された画像データが記憶される（Ｎ１）。搬送された原稿の枚数はＡＤＦ３０に設けられた原稿検出センサＳ１で検出し、検出された枚数は原稿ページ数記憶手段１６３に記憶される。
【手続補正１６】
【補正対象書類名】明細書
【補正対象項目名】０１２１
【補正方法】変更
【補正の内容】
【０１２１】
従って、図３（ａ）の場合は、原稿載置台３２にＮ１〜Ｎ６、つまり、６回の載置を繰り返す作業を行えば、読み取れることになる。
【手続補正１７】
【補正対象書類名】明細書
【補正対象項目名】０１２２
【補正方法】変更
【補正の内容】
【０１２２】
このように、図３（ａ）の場合は、基本的に、本文原稿の最上部にインデックス原稿が重ねられた原稿束を取り扱うので、一つの原稿束を読み取るときは、最初に読み取る原稿はインデックス原稿であるから、最初に読み込んだ原稿のページ願号を自動的に記憶手段１６０に記憶するようにすればよい。
【手続補正１８】
【補正対象書類名】明細書
【補正対象項目名】０１２５
【補正方法】変更
【補正の内容】
【０１２５】
そして、図３（ａ）の場合、インデックス原稿ページ番号記憶手段１６２に記憶されたインデックス原稿のページ番号は、１、２２、５３、９４、１４５となり、原稿ページ数記憶手段１６３には総枚数（総ページ数）として２６５が記憶される。
【手続補正１９】
【補正対象書類名】明細書
【補正対象項目名】０１２７
【補正方法】変更
【補正の内容】
【０１２７】
図３（ｂ）の場合
ＡＤＦ３０の原稿載置台３２に、まず、原稿束ＷＰ２１の本文原稿Ｇ２１Ａを載置し、インデックス原稿除外釦ＪＫを押して、本文原稿のみを読み取らせる（ｎ１）。次も、本文原稿Ｇ２１Ｂを載置して、インデックス原稿除外釦ＪＫを押して、本文原稿のみを読み取らせる（ｎ２）。
【手続補正２０】
【補正対象書類名】明細書
【補正対象項目名】０１２９
【補正方法】変更
【補正の内容】
【０１２９】
ｎ３と同様に、以降、ｎ７まで、この操作を繰り返すと、図３（ｂ）に示す原稿束の原稿から画像情報を読み取ることができる。
【手続補正２１】
【補正対象書類名】明細書
【補正対象項目名】０１３１
【補正方法】変更
【補正の内容】
【０１３１】
つまり、第２の読取モードにおいては、インデックス原稿除外釦ＪＫを押して、最初に本文原稿Ｇ２１（Ｇ２１ＡとＧ２１Ｂ）を読み取らせた後は、ｎ３〜ｎ７まで、図３（ａ）の場合の読み取り作動と同様になる。
【手続補正２２】
【補正対象書類名】明細書
【補正対象項目名】０１３３
【補正方法】変更
【補正の内容】
【０１３３】
そして、図３（ｂ）の場合、インデックス原稿ページ番号記憶手段１６２に記憶されたインデックスページ番号は、１２１、１７２、２１３、２４４、２６５となる。
【手続補正２３】
【補正対象書類名】明細書
【補正対象項目名】０１３４
【補正方法】変更
【補正の内容】
【０１３４】
また、画像形成時においては、図３（ａ）の場合と同様に、このページ番号と画像形成されているページ数とが一致したときには、インデックス用紙に画像形成を行い、一致しなかったときは、普通紙に画像形成を行うようにしている。
【手続補正２４】
【補正対象書類名】明細書
【補正対象項目名】０１３６
【補正方法】変更
【補正の内容】
【０１３６】
前述のように、原稿束には２つの方式があるが、ここでは、図３（ａ）に示すように、本文原稿の最上部にインデックス原稿が重ねられた原稿束で、インデックス原稿を先に読み取る読取モードをインデックス優先モード（ＩＮＤＥＸ優先モードともいう。）といい、図３（ｂ）に示すように、本文原稿の最下部にインデックス原稿が重ねられた原稿束で、本文原稿を先に読み取る読取モードを本文優先モードということにする。
【手続補正２５】
【補正対象書類名】明細書
【補正対象項目名】０１３９
【補正方法】変更
【補正の内容】
【０１３９】
（ＳＴ２）
インデックス優先モードで読み取る原稿束か否かを判断するステップである。インデックス優先モードで読み取る図３（ａ）のような原稿束の場合は、ＳＴ３に進み、図３（ｂ）のような原稿束の場合は、ＳＴ８に飛ぶ。
【手続補正２６】
【補正対象書類名】明細書
【補正対象項目名】０１４７
【補正方法】変更
【補正の内容】
【０１４７】
（ＳＴ７）
原稿束が最終の原稿束か否かを判断するステップである。最終の原稿束、例えば、図３（ａ）の原稿束ＷＰ５、を読み取らせた場合は、読取釦ＳＫを押すとＳＴ１２に進み、読取釦ＳＫを押さなければ、ＳＴ３に戻る。
【手続補正２７】
【補正対象書類名】明細書
【補正対象項目名】０１５２
【補正方法】変更
【補正の内容】
【０１５２】
なお、図３（ｂ）の原稿束ＷＰ２１の本文原稿Ｇ２１は、原稿載置台３２の規定枚数を超過したものとしてＧ２１ＡとＧ２１Ｂに分割したので、読み取らせる場合は、Ｇ２１Ａをセットし、インデックス原稿除外釦ＪＫを押し、読み取とらせた後に、同様の手順で、Ｇ２１Ｂを読み取らせるので、操作が２回必要であるが、超過していない場合は、単に、本文原稿Ｇ２１をセットし、インデックス原稿除外釦ＪＫを押し、読み取らせる１回の操作で良い。